(57)【特許請求の範囲】
【請求項１】
管内表面に管の長手方向と並行に存在する突条型の複数のフィンを持つアルミニウム合金製の内面溝付管であって、
該内面溝付管の長手方向に直交する断面における該複数のフィンの形状および配置が該内面溝付管の円周方向で略均一であり、
該断面における内周縁の長さＦ（ｍｍ）と該断面における内周縁及び該複数のフィン頂部に接する円に囲まれた溝空間部の面積Ａ（ｍｍ２）との比が１２≦Ｆ／Ａ≦１５の範囲内であり、
前記内面溝付管の内径が３ｍｍ〜１０ｍｍであり、
前記内面溝付管の主要部材が、Ｍｎ：１．０〜１．５質量％とＣｕ：０．０５〜０．２５質量％とＭｇ：０．０２５質量％以下とを含有し、残部がＡｌと不可避的不純物とからなるアルミニウム合金で構成されており、
前記不可避不純物におけるTi、Cr、Zrの含有量の総量が0.2％以下である、内面溝付管。
【請求項２】
前記比が１２≦Ｆ／Ａ≦１４の範囲内である、請求項１に記載の内面溝付管。
【請求項３】
前記管内表面の複数のフィンを材料を押出加工又は引抜加工することで成形する工程を含む、請求項１に記載の内面溝付管の製造方法。
【請求項４】
前記フィンの高さが前記内径の１０％以下である、請求項１に記載の内面溝付管。
【請求項５】
前記フィンの巾が０．２ｍｍ以上である、請求項１に記載の内面溝付管。
【請求項６】
請求項１に記載の内面溝付管を拡管する工程を含む、内面溝付管の製造方法。
【請求項７】
アルミニウム合金製外部フィンに請求項６記載の製造方法により得られる内面溝付管を密着させる工程を含む、フィンアンドチューブ型の熱交換器の製造方法。
【請求項８】
請求項７に記載の製造方法により得られる熱交換器を用いて、エアコンを製造する工程を含むエアコンの製造方法。
【発明の詳細な説明】
【技術分野】
【０００１】
本発明は、アルミニウム合金製内面溝付管に関する。
【背景技術】
【０００２】
近年、ヒートポンプエアコン等に用いられる熱交換器は省エネルギー、小型化の要求が高まってきており、熱交換器自体の小型化、高効率化が求められている。【０００３】
ヒートポンプエアコンに用いられる熱交換器としては、フィンアンドチューブ型の熱交換器が主に使用されている。このフィンアンドチューブ型の熱交換器は、予め伝熱管より径の大きい穴をあけたアルミ製のフィンに伝熱管を挿入し、伝熱管内に拡管プラグを通し、管を拡管させることによってアルミフィンと密着させることで成形される。そして、このフィンアンドチューブ型の熱交換器は、その伝熱管の管内にＨＦＣ等の冷媒を流してアルミ製のフィンの外部の空気と熱交換を行う。【０００４】
従来、フィンアンドチューブ型の熱交換器に用いられる伝熱管としては、高い熱伝導率を持つ銅合金が使用されてきたが、銅価格の高騰及び熱交換器自体の軽量化要求もあって、銅に変わってアルミニウム製の配管が用いられるようになってきている。【０００５】
熱交換器の配管として利用されている銅合金及びアルミニウム合金は、熱交換効率を高めるため内面にフィンの付いた内面溝付管が用いられている。内面溝形状としては既に様々なものが提案されているが、特に軸方向に対して一定の角度を持たせた螺旋管は熱交換効率に優れており、種々の溝形状が開発され、実用化されている（例えば特許文献１）。【０００６】
螺旋溝付管をアルミニウム合金で作製する方法として、押出加工又は引抜加工で管を成形後、特許文献２に示されるような転造加工で溝を成形するのが一般的である。【０００７】
一方で、内面溝が軸方向と平行であるストレート溝付管の場合、熱交換効率は螺旋溝付管と比較すると劣る場合もあるが、押出加工又は引抜加工のみで内面溝を付与することができ、コスト面では螺旋管に比較して優れているため、今後の適用拡大が期待される。【０００８】
ただし、従来から検討されてきたフィン形状としては、ほとんどが螺旋溝付管に関するものである。ストレート溝付管の溝形状としては、フィン組立て時にフィンが潰れないように高さの異なるフィンを持つ内面溝付管（特許文献３）が提案されている。
【先行技術文献】
【特許文献】
【０００９】
【特許文献１】特開平４−２６０７９３号公報
【特許文献２】特開２００１−２４１８７７号公報
【特許文献３】特開２００１−２８９５８５号公報
【発明の概要】
【発明が解決しようとする課題】
【００１０】
しかしながら、上記文献記載の従来技術は、以下の点で改善の余地を有していた。【００１１】
第一に、特許文献１および特許文献２に記載の螺旋溝付管では、押出後の素管にさらに別工程で加工を行うため、製造コストが高くなるという問題があった。また、アルミニウム合金の場合、銅合金と比較して冷間加工性が劣るため、転造加工速度を落とさなければならず、生産性の点で改善の余地を有していた。【００１２】
第二に、ストレート溝付管の溝形状としては、特許文献３のストレート溝付管以外では十分な検討がなされていない。さらに、ストレート溝付管においては、フィン形状によっては押出出来ないものもあり、押出性という観点が重要になってくるが、今までにフィン形状と押出性について検討された事例はない。【００１３】
このような状況の中で、本発明者は、押出性に優れ、かつ熱交換効率に優れたフィン形状を持つアルミニウム合金を用いた内面ストレート溝付管の開発の必要性に初めて気付くこととなった。【００１４】
本発明は上記事情に鑑みてなされたものであり、従来のアルミニウム合金を用いた内面ストレート溝付管に比較して押出性及び熱交換効率に優れた最適なフィン形状を提供することを目的とする。
【課題を解決するための手段】
【００１５】
本発明者らは、アルミニウム合金製内面ストレート溝付管の形状について様々な検討を重ねた結果、内面溝付管の長手方向に直交する断面における内周縁の長さと溝空間部の面積とをある一定の比率の範囲内にすることによって、押出性に優れ、かつ熱交換効率に優れた形状となることを見出すことができた。【００１６】
すなわち、本発明に係る内面溝付管は、管内表面に管の長手方向と並行に存在する突条型の複数のフィンを持つアルミニウム合金製の内面溝付管であって、該内面溝付管の長手方向に直交する断面における該複数のフィンの形状および配置が該内面溝付管の円周方向で略均一であり、該断面における内周縁の長さＦ（ｍｍ）と該断面における内周縁及び該複数のフィン頂部に接する円に囲まれた溝空間部の面積Ａ（ｍｍ２）との比が１２≦Ｆ／Ａ≦１４の範囲内である、内面溝付管である。【００１７】
この構成によれば、内面溝付管の長手方向に直交する断面における内周縁の長さと溝空間部の面積とをある一定の比率の範囲内にすることによって、押出性に優れ、かつ熱交換効率に優れた内面溝付管を得ることができる。【００１８】
また、本発明に係る熱交換器は、アルミニウム合金製外部フィンと、該アルミニウム合金製外部フィンに密着してなる上記の内面溝付管を拡管してなる内面溝付管と、を備える、フィンアンドチューブ型の熱交換器である。【００１９】
この構成によれば、押出性に優れ、かつ熱交換効率に優れた内面溝付管を拡管してなる内面溝付管を用いているため、簡便な拡管工程によって、熱交換率に優れたフィンアンドチューブ型の熱交換器を精度よく効率的に生産することができる。【００２０】
また、本発明に係るエアコンは、上記の熱交換器を備えるエアコンである。【００２１】
この構成によれば、精度よく効率的に生産可能な熱交換率に優れたフィンアンドチューブ型の熱交換器を用いているため、熱交換率に優れたエアコンを精度よく効率的に生産することができる。
【発明の効果】
【００２２】
本発明によれば、押出性に優れ、かつ伝熱管としての伝熱特性を十分に満足するフィン形状を有する伝熱管を提供することができる。
【図面の簡単な説明】
【００２３】
【図１】実施形態に係る内面溝付管の断面である。
【発明を実施するための形態】
【００２４】
以下、本発明の実施の形態について、図面を用いて説明する。尚、すべての図面において、同様な構成要素には同様の符号を付し、適宜説明を省略する。なお、本発明の実施形態において、Ａ〜Ｂとは、Ａ以上かつＢ以下を意味するものとする。
【００２５】
＜内面溝付管の構造＞
図１は、実施形態に係る内面溝付管の断面である。この内面溝付管１００は、管内表面に管の長手方向と並行に存在する突条型の複数のフィン１０２を持つアルミニウム合金製の内面溝付管１００である。そして、該内面溝付管１００の長手方向に直交する断面における該複数のフィン１０２の形状および配置が該内面溝付管１００の円周方向で略均一である。また、該断面における内周縁の長さＦ（ｍｍ）と該断面における内周縁及び該複数のフィン１０２頂部に接する円に囲まれた溝空間部の面積Ａ（ｍｍ２）との比が１２≦Ｆ／Ａ≦１４の範囲内である。
【００２６】
ここで、この数値限定理由を述べる。内周縁の長さ（内周長）Ｆ（ｍｍ）および溝空間部の面積Ａ（ｍｍ２）は、所定の内径（溝底部に接する円の直径）Ｄ１が与えられた場合には、ともにフィン１０２の数、フィン１０２の高さ、フィン１０２の巾によって決まる数値である。フィン１０２の数が少ない場合、Ｆは小、Ａは大となり、Ｆ／Ａは小さくなる。フィン数が多くなると逆にＦ／Ａは大きくなる。
【００２７】
すなわち、フィン１０２の高さが大きい場合は圧力損失の増加を招くだけではなく、押出時にフィン１０２の欠落、欠損等の不具合が発生しやすくなる。さらに、熱交換器組立て時の拡管工程においてフィン１０２の折れが発生しやすくなるため、フィン１０２の高さは所定の高さ以下に制限されることが好ましい。
【００２８】
そこで、１０≦Ｆ／Ａ≦１５となるようにＦ、Ａを与えることによって、押出性に優れ、かつ熱交換効率の高い内面溝付管を提供することが出来る。Ｆ／Ａが１０未満の場合、内周長に対して溝空間面積が大きい、すなわちフィン数が少ない状態であり、十分な熱交換効率を得ることが出来ない。そのため、Ｆ／Ａが１０以上であることが押出性または熱交換率の面から好ましく、１１以上であることが同様の理由でより好ましく、１２以上であることが同様の理由で最も好ましい。また、Ｆ／Ａが１５を超えるとフィン数が多い、すなわち管の重量が増えることになるため好ましくない。さらに、溝空間部面積が小さい場合、凝縮時に生成される液が十分に排出されず、熱交換効率が低下してしまう。そのため、Ｆ／Ａが１５以下であることが管重量の抑制または熱交換率の面から好ましく、１４．５以下であることが同様の理由でより好ましく、１４以下であることが同様の理由で最も好ましい。
【００２９】
また、別の観点から検討すると、特にフィン１０２の高さの上限値が図１に示す内径Ｄ１の１０％を超えると押出時のフィン１０２の欠落及び拡管工程時のフィン１０２の折れの発生する確率が高くなる。そのため、フィン１０２の高さは、内径Ｄ１の１０％以下であることが圧力損失の抑制またはフィンの欠落・折れの抑制の面からは好ましく、７％以下であることが同様の理由でより好ましく、６％以下であることが同様の理由で最も好ましい。なお、フィン１０２の高さは、絶対値でいえば、１ｍｍ以下であることが圧力損失の抑制またはフィンの欠落・折れの抑制の面からは好ましく、０．７ｍｍ以下であることが同様の理由でより好ましく、０．５ｍｍ以下であることが同様の理由で最も好ましい。
【００３０】
なお、内面溝付管１００が相似形で拡大・縮小する場合には、内面溝付管１００の内径（溝底部に接する円の直径）Ｄ１自体が２倍になれば、内周縁の長さ（内周長）Ｆ（ｍｍ）も同様に２倍になるが、溝空間部の面積Ａ（ｍｍ２）は４倍になる。そのため、１２≦Ｆ／Ａ≦１４の数式が成り立つのは、通常の内径（溝底部に接する円の直径）Ｄ１の範囲内になる。その通常の内径（溝底部に接する円の直径）Ｄ１の範囲がどのような値になるのかは、当然のことながら技術常識で判断されるが、例えば、内面溝付管の内径が３ｍｍ以上であることが押出性の面から好ましく、４ｍｍ以上であればより好ましい。また、内面溝付管の内径が１０ｍｍ以下であれば軽量化及び熱交換器の小型化の観点から好ましく、８ｍｍ以下であればより好ましい。
【００３１】
なお、本実施形態において、フィン１０２の数、フィン１０２の巾等のフィン１０２の形状および配置に関する数値は、上記の関係式を満足するものであれば特に規定はしないが、フィン１０２の巾は０．２ｍｍ以下になると押出時にフィンの欠損する確率が著しく上昇するため、押出時にフィンの欠損する確率を抑制するためには０．２ｍｍ以上であることが望ましい。また、フィン１０２の巾は同様の理由で０．３ｍｍ以上であることが望ましく、０．４ｍｍ以上であることが最も望ましい。
【００３２】
なお、上記の管内表面の複数のフィン１０２は、どのような製造工程で作成されたものであってもよいが、後述するアルミニウム合金製の材料を押出加工することで成形されたものであることが成形性およびコストの面から好ましい。
【００３３】
特に、ストレート溝付管の管内表面の複数のフィン１０２は、内面溝が軸方向と平行であるため、押出加工のみで内面溝を付与することができる。よって、上記の管内表面の複数のフィン１０２は、押出加工することで成形されたものであることがコスト面では螺旋管に比較して優れているため好ましい。また、押出条件としては特に３５０〜５５０℃の熱間で押出加工したものであることが好ましい。つまり、ビレットと呼ばれるアルミニウム合金の塊を３５０〜５５０℃の熱間で、押出機を用いて強い圧力を加え、上記の複数のフィン１０２に対応する形をしたダイス穴から押出して、内面溝付管の円周方向で略均一な断面形状をもった複数のフィン１０２を精度および効率よく作ることが好ましい。
【００３４】
＜内面溝付管の材料＞
本実施形態に係る内面溝付管１００の主要部材は、特に限定するものではなく、アルミニウム合金製であればよい。ここで、「アルミニウム合金」とは、アルミニウムを主成分とする合金を意味するが、純度９９．０質量％（以下、質量％を％と記す。）以上のいわゆる「純アルミニウム」を排除する趣旨ではない。すなわち、「アルミニウム合金」には、純アルミニウム（１０００系）、Ａｌ−Ｃｕ系合金（２０００系）、Ａｌ−Ｍｎ系合金（３０００系）、Ａｌ−Ｓｉ系合金（４０００系）、Ａｌ−Ｍｇ系合金（５０００系）、Ａｌ−Ｍｇ−Ｓｉ系合金（６０００系）、Ａｌ−Ｚｎ−Ｍｇ系合金（７０００系）が含まれるものとする。もっとも、これらのアルミニウム合金の中でも、ヒートポンプの伝熱管として用いる場合には、純アルミニウムのもつ加工性、耐食性を低下させずに強度を高くしたＡｌ−Ｍｎ系合金（３０００系）を用いることが好ましい。
【００３５】
アルミニウム合金の組成は、特に限定するものではないが、例えば、Ｍｎ：１．０〜１．５％とＣｕ：０．０５〜０．２０％とＭｇ：０．０３％以下とを含有し、残部がＡｌと不可避的不純物とからなることが好ましい。
【００３６】
次にこのように成分を限定する理由について述べる。Ｍｎは３０００系合金において強度を向上させる主要な添加元素であり、アルミニウム中に固溶、一部は析出して強度を付与する効果をもつが、その添加量が１．０％より少ないと伝熱管としての強度が不十分となることがあり、１．５％より多いと押出加工時の押出圧力の増加を招きやすく、その結果、フィンの欠落、欠損等の不具合が発生しやすくなる。したがって、Ｍｎ添加量は１．０〜１．５％の範囲であることが伝熱管としての強度またはフィンの欠落、欠損等の不具合を抑制するためには好ましく、さらに１．０〜１．３％の範囲であることが同様の理由から好ましい。
【００３７】
Ｃｕはアルミニウム中に固溶して強度を付与する効果を持つが、Ｃｕ量が０．０５％未満ではその効果が得られないことがあり、一方、０．２５％を越えて添加した場合には、成形性を阻害しやすく、また耐食性も劣化しやすい。したがって、Ｃｕ添加量は０．０５〜０．２５％の範囲とすることが強度、成形性または耐食性の面からは好ましい。
【００３８】
Ｍｇはアルミニウム中に固溶してＡｌ−Ｍｎ系合金の強度をさらに向上させる効果を有するが、一方でわずかでも含有されると押出時の著しい圧力の増加を招きやすく、成形性、生産性の低下の原因となる場合がある。そのため、Ｍｇ含有量は０．０２５％以下とすることが押出圧力の増加を抑制するためには好ましい。
【００３９】
不可避的不純物としてはＦｅ、Ｓｉ、Ｚｎなどがあるが、これらはＦｅが０．７％以下、Ｓｉが０．６％以下、Ｚｎが０．１％以下であれば、上記の本実施形態の内面溝付管１００の各種効果を阻害するものではないため好ましい。
【００４０】
また、Ｔｉ、Ｃｒ、Ｚｒは鋳塊組織を均一微細化する効果があるので含有しても良いが総量で０．２％を超えると巨大金属間化合物を形成したり押出性が低下したりするので、その含有量は総量で０．２％以下であることが好ましい。その他の不可避的不純物は各々０．０５％以下であることが好ましく、総量で０．１５％以下であることが好ましい。
【００４１】
さらに本実施形態の内面溝付管１００は、押出後、外面にＺｎを溶射等の方法で付着させた後、Ｚｎ拡散熱処理を施すことにより、Ｚｎの拡散した層を設けても良い。該Ｚｎ拡散層は、管材のＺｎが拡散していない部分よりも孔食電位が卑であるため犠牲防食作用によって管材を防食し、管材の耐食性を向上させることができる。
【００４２】
＜拡管済みの内面溝付管＞
本実施形態に係る内面溝付管は、上記の拡管前の内面溝付管１００を拡管してなる内面溝付管である。この拡管工程は、特に限定するものではないが、例えば、拡管前の内面溝付管１００内に拡管プラグを通し、拡管前の内面溝付管１００を拡管させる工程が簡便かつ精度がよいためよく用いられる。
【００４３】
この拡管工程は、後述するフィンアンドチューブ型の熱交換器を製造する際に行われるのが通常である。すなわち、予め拡管前の内面溝付管１００より径の大きい穴をあけたアルミニウム合金製のフィンに拡管前の内面溝付管１００を挿入し、拡管前の内面溝付管１００内に拡管プラグを通し、管を拡管させることによってアルミフィンと密着させることで、フィンアンドチューブ型の熱交換器を製造するために通常は行われる。
【００４４】
＜フィンアンドチューブ型の熱交換器およびエアコン＞
本実施形態に係るフィンアンドチューブ型の熱交換器は、アルミニウム合金製外部フィンと、該アルミニウム合金製外部フィンに密着してなる上記の内面溝付管１００と、を備える、フィンアンドチューブ型の熱交換器である。このフィンアンドチューブ型の熱交換器は、押出性に優れ、かつ熱交換効率に優れた内面溝付管を拡管してなる内面溝付管１００を用いているため、面溝付管１００の管内にＨＦＣ等の冷媒を流してアルミ製のフィンの外部の空気と熱交換を行う際の熱交換率に優れており、かつ簡便な拡管工程によってフィンアンドチューブ型の熱交換器を精度よく効率的に生産することができる。
【００４５】
また、本実施形態に係るエアコンは、上記のフィンアンドチューブ型の熱交換器を備えるエアコンである。このエアコンは、精度よく効率的に生産可能な熱交換率に優れたフィンアンドチューブ型の熱交換器を用いているため、小型化、高効率化を実現できている。このエアコンは、特に省エネルギー、小型化の要求が高いヒートポンプエアコンとして公的に用いることができる。
【００４６】
以上、図面を参照して本発明の実施形態について述べたが、これらは本発明の例示であり、上記以外の様々な構成を採用することもできる。
【００４７】
例えば、上記実施の形態では、管内表面に管の長手方向と並行に存在する突条型の複数のフィン１０２を持つアルミニウム合金製の内面溝付管１００としたが、ここでいう「並行」とは厳密に「平行」であることを要せず、管の長手方向に対して±５°以内、好ましくは±３°以内、最も好ましくは±１°以内の傾きを有していてもよい。なぜなら、内面溝付管１００の製造工程においてすべての突条型の複数のフィン１０２を完全に「平行」になるように製造するのは困難であるためである。
【００４８】
また、上記実施の形態では、内面溝付管１００の長手方向に直交する断面における該複数のフィン１０２の形状および配置が該内面溝付管１００の円周方向で略均一であるとしたが、ここでいう「直交」とは厳密に「直角」に交差することを要せず、管の長手方向に対して±５°以内、好ましくは±３°以内、最も好ましくは±１°以内の傾きを有して交差してもよい。なぜなら、内面溝付管１００を切断して断面を観察する際に内面溝付管１００の長手方向に完全に「直角」になるように切断をすることは困難だからである。
【００４９】
また、ここでいう「略均一」とは、完全に均一であることを要せず、複数のフィン１０２の高さおよび巾が平均値の±５°以内、好ましくは±３°以内、最も好ましくは±１°以内に収まっていれば形状が「略均一」であるものとする。なぜなら、すべての複数のフィン１０２の形状を完全に「均一」になるように製造するのは困難であるためである。また、複数のフィン１０２の頂点同士の間隔が平均値の±５°以内、好ましくは±３°以内、最も好ましくは±１°以内に収まっていれば配置が「略均一」であるものとする。なぜなら、すべての複数のフィン１０２の配置を完全に「均一」になるように製造するのは困難であるためである。
【実施例】
【００５０】
以下、本発明を実施例によりさらに説明するが、本発明はこれらに限定されるものではない。【００５１】
＜実験例１＞
次に本発明の実施例を比較例と共に説明する。表１に示す種々のフィン形状を持つ内面溝付管を熱間押出により作製した。押出条件としては、ＪＩＳ３００３及びＪＩＳ６０６３合金を用いて、ビレット温度５００℃、押出速度２０ｍ／ｍｉｎで押出を行った。押出後、以下に示す評価を実施した。【００５２】
【表１】
0005883383.tif 000002
【００５３】
押出性
押出後の管を肉眼で観察してフィンの欠損、欠落等の不具合が見られた場合を「有り」、問題の無い場合を「無し」として評価を行った。【００５４】
伝熱特性
作製した種々の形状の伝熱管を二重管式熱交換器の内管に組み込み、伝熱管に冷媒としてＨＦＣを冷媒流速３００ｋｇ／ｍ２ｓｅｃで流し、管外側に被冷却水を流して、管内熱伝達率を測定した。【００５５】
表１に示す評価結果の説明を行う。実施例１〜９は１０≦Ｆ／Ａ≦１５の条件を満たしており、押出時のフィン欠損は見られず、熱伝達率も良好である。一方、比較例１０、１１、１５はＦ／Ａが１０≦Ｆ／Ａ≦１５の条件を満たしておらず、熱伝達率が低くなっている。比較例１２〜１４はフィン数が多いため、Ｆ／Ａが１０≦Ｆ／Ａ≦１５を満たしておらず、押出時にフィンの欠損が見られた。【００５６】
＜実験例２＞
表１に示す条件１の形状の押出管を表２に示す成分の合金を用いて製造を行い、以下の評価項目に沿って評価を行った。なお、押出条件は、ビレット温度５００℃、押出速度２０ｍ／ｍｉｎとした。【００５７】
【表２】
0005883383.tif 000003
【００５８】
押出圧力
押出時に著しい圧力の増加が見られた場合を「×」、問題なかった場合を「○」として評価を行った。具体的には押出時の圧力が２０ＭＰａを超えた場合には「×」、２０ＭＰａ以下１８ＭＰａ以上であった場合には「△」、１８ＭＰａ以下であった場合には「○」と評価した。評価結果を表３に示す。【００５９】
引張試験
押出後の管をＪＩＳＺ２２４１に基づいて引張試験を行った。評価結果を表３に示す。【００６０】
【表３】
0005883383.tif 000004
【００６１】
表３について説明を行う。実施例１６〜２１は好適材料（Ｍｎ：１．０〜１．５質量％とＣｕ：０．０５〜０．２５質量％とＭｇ：０．０２５質量％以下とを含有し、残部がＡｌと不可避的不純物とからなるアルミニウム合金）を用いているので、押出時に著しい圧力の増加は見られない。一方、比較例２２、２４はそれぞれＭｎまたはＣｕの含有率が少なすぎるため、好適材料の条件を満たさないので、機械的性質が好適材料を用いた場合にくらべて低くなっているため、強度の面で改善の余地がある。また、比較例２３、２５、２６はＭｎ、Ｃｕ、Ｍｇの含有率が多すぎるため、好適材料の条件を満たさないので、押出時にある程度の圧力の増加が見られ、押出性が好適材料の場合に比べると十分ではなかった。【００６２】
以上、本発明を実施例に基づいて説明した。この実施例はあくまで例示であり、種々の変形例が可能なこと、またそうした変形例も本発明の範囲にあることは当業者に理解されるところである。
【産業上の利用可能性】
【００６３】
以上のように、本発明によれば、押出性に優れ、かつ伝熱管としての伝熱特性を十分に満足するフィン形状を有する伝熱管を提供することが出来、冷凍機や空調機などの熱交換器に使用される内面フィン付伝熱管として工業上顕著な効果を奏するものである。
【符号の説明】
【００６４】
Ｄ０：管外径
Ｄ１：溝底部に接する円の直径
１００：内面溝付管
１０２：フィン
【図１】
0005883383.tif 000005